(57)【要約】【課題】ヒップホールド部におけるシワの発生を抑制し、身体へのフィット性を向上させた吸収性物品を提供する。【解決手段】透液性の表面シートと、不透液性の裏面シートと、前記表面シートと前記裏面シートとの間に設けられた吸収体とを有する本体と、ヒップホールド部とを備えた吸収性物品であって、前記本体は、前後方向に所定の長さ及び該前後方向と直交する方向に所定の幅を有する形状であり、前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、前記側部領域の裏面シートに、前記吸収性物品を固定するためのズレ止め材が設けられており、前記ズレ止め材は、前記第１凹部の底点から前記幅の方向に引いた仮想線を前記前後方向で跨るように配置されている。【選択図】図１
2018015239.tif 000002
【特許請求の範囲】
【請求項１】
透液性の表面シートと、不透液性の裏面シートと、前記表面シートと前記裏面シートとの間に設けられた吸収体とを有する本体と、ヒップホールド部とを備えた吸収性物品であって、
前記本体は、前後方向に所定の長さ及び該前後方向と直交する方向に所定の幅を有する形状であり、
前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、
前記側部領域の裏面シートに、前記吸収性物品を固定するためのズレ止め材が設けられており、前記ズレ止め材は、前記第１凹部の底点から前記幅の方向に引いた仮想線を前記前後方向で跨るように配置されている、吸収性物品。
【請求項２】
前記ズレ止め材が、前記第１凹部の底点から前記幅の方向に引いた仮想線の両側に等しい長さで前後方向に延在している、請求項１に記載の吸収性物品。
【請求項３】
前記ズレ止め材の幅方向外側の外形線が、前記ヒップホールド部の外形線に沿った形状を有する、請求項１又は２に記載の吸収性物品。
【請求項４】
前記ズレ止め材が細長形状を有しており、前記ズレ止め材の長手方向軸線が、前記第１凹部の底点と前記第２凸部の頂点とを通る仮想線に略平行となるように配置されている、請求項１に記載の吸収性物品。
【請求項５】
前記ズレ止め材が、前記第１凸部の頂点から前記幅の方向に引いた仮想線も前記前後方向に跨るように配置されている、請求項１に記載の吸収性物品。
【請求項６】
前記ズレ止め材が、前記第１凸部の頂点から前記幅の方向に引いた仮想線と、前記第２凸部の頂点から前記幅の方向に引いた仮想線との間にわたって設けられている、請求項１に記載の吸収性物品。
【発明の詳細な説明】
【技術分野】
【０００１】
本発明は、吸収性物品に関する。
【背景技術】
【０００２】
従来、パンティライナー、生理用ナプキン、失禁パッド等の吸収性物品として、透液性の表面シートとの不透液性の裏面シートとの間に吸収体が設けられたものが知られている。
【０００３】
さらに近年では、吸収性物品の後方及び／又は斜め後方から体液が漏れることを防止するために、吸収性物品の両側部後方から後端部にわたり長さ及び幅を大きくした拡張部分を設けることが知られている。
【０００４】
例えば、特許文献１には、第１くびれ部と、第１くびれ部よりも後方に位置し、第１くびれ部よりも幅方向外側に突出すると共に、ヒップフラップ部の幅が最大となる部分を含む第１フラップ部と、第１くびれ部よりも前方に位置し、第１くびれ部よりも幅方向外側に突出する第２フラップ部とを備えたヒップフラップ部を備えた吸収性物品が開示されている。特許文献１のヒップフラップ部は、非肌当接面側にサイド粘着部を備えており、このサイド粘着部は、第１フラップ部の外縁圧搾部の幅方向内縁よりも幅方向内側に位置すると共に、第１くびれ部よりも幅方向内側に位置している。
【０００５】
また、特許文献２には、折返しフラップ部よりも後方の突出起点からナプキンの後縁までの範囲で横方向の両側に突出する後方フラップ部を有する生理用ナプキンが開示されている。後方フラップ部は、突出起点から後縁まで長さの中点よりも前方に最大幅部が位置し、最大幅部から後縁に向けて半幅寸法が徐々に小さくなる形状であり、後方フラップ部の着衣側表面に感圧接着剤層が設けられ、この感圧接着剤層は、最大幅部又は最大幅部の前後１０ｍｍの範囲内に存在している。
【先行技術文献】
【特許文献】
【０００６】
【特許文献１】特開２０１４−３６８３２号公報
【特許文献２】特許第４９３７２２５号公報
【発明の概要】
【発明が解決しようとする課題】
【０００７】
しかしながら、特許文献１の吸収性物品では、ヒップフラップ部のくびれ部にシワができやすい。そのため、ヒップフラップ部と身体との間に隙間ができやすいので、フィット性が低下し得る。
【０００８】
また、特許文献２の生理用ナプキンの後方フラップ部の形状では、臀部の丸みに沿ったフレキシブルな変形はできない。さらに、後方フラップ部には感圧接着層が設けられているが、接着層とシワとの関連については考慮されていなかった。
【０００９】
上記の点に鑑みて、本発明は、ヒップホールド部におけるシワの発生を抑制し、身体へのフィット性を向上させた吸収性物品を提供することを課題とする。
【課題を解決するための手段】
【００１０】
上記課題を解決するため、本発明の第一の態様は、透液性の表面シートと、不透液性の裏面シートと、前記表面シートと前記裏面シートとの間に設けられた吸収体とを有する本体と、ヒップホールド部とを備えた吸収性物品であって、前記本体は、前後方向に所定の長さ及び該前後方向と直交する方向に所定の幅を有する形状であり、前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、前記側部領域の裏面シートに、前記吸収性物品を固定するためのズレ止め材が設けられており、前記ズレ止め材は、前記第１凹部の底点から前記幅の方向に引いた仮想線を前記前後方向で跨るように配置されている。
【００１１】
上記第一の態様では、ヒップホールド部が、側部領域において、前後方向中心線からの幅が最も大きい部分を含む第１凸部と、第１凸部より前方に隣接する第１凹部と、第１凹部より前方に隣接する第２凸部とを有している。そのため、吸収性物品を装着する際にヒップホールド部を臀部に沿うように当てた時、第１凸部と第２凸部との間の第１凹部の存在によって、第１凸部と第２凸部は互いに相手側に影響を及ぼすことなく独立に変形することができる。これにより、ヒップホールド部は臀部の曲面形状（丸み）に沿って変形することができ、ヒップホールド部の身体へのフィット性を高めることができる。
【００１２】
しかしながら、ヒップホールド部と臀部との接触状態、臀部への体重の掛かり具合等によっては、身体の動きによってヒップホールド部の外周領域に比較的大きな力が負荷される場合がある。そのような場合、応力が凹部に集まりやすいことから、第１凹部付近にはシワが生じやすい。
【００１３】
これに対し、側部領域の裏面シートに、吸収性物品を固定するためのズレ止め材を設け、そのズレ止め材を、第１凹部の底点から幅の方向に引いた仮想線を前後方向で跨るように配置することにより、ヒップホールド部に比較的大きな力が負荷された場合に第１凹部に応力が集中しても、シワの発生起点となりやすい第１凹部の底点付近の領域が下着に固定され、応力が分散されるので、シワの発生を抑えることができる。その結果、ヒップホールド部と身体との間に隙間が生じることなく、上述のヒップホールド部の身体へのフィット性を維持することができる。
【００１４】
本発明の第二の態様によれば、前記ズレ止め材が、前記第１凹部の底点から前記幅の方向に引いた仮想線の両側に等しい長さで前後方向に延在している。
【００１５】
上記第二の態様では、ズレ止め材を、第１凹部の底点から幅の方向に引いた仮想線の両側に等しい長さで前後方向に延在させることによって、第１凹部の最もシワが生じやすい位置を中心にバランス良く固定することができる。そのため、第１凹部付近でのシワの発生をより確実に防止することができる。
【００１６】
本発明の第三の態様によれば、前記ズレ止め材の幅方向外側の外形線が、前記ヒップホールド部の外形線に沿った形状を有する。
【００１７】
上記第三の態様では、ズレ止め材の外形線をヒップホールド部の外形線に沿った形状にする。これにより、ズレ止め材を外形線の近傍付近に配置することができるので、最もシワが発生しやすい第１凹部の外形線付近でのシワの発生を抑制する効果を維持しつつ、第１凹部に隣接する凸部のめくれやヨレを防止することができる。
【００１８】
本発明の第四の態様によれば、前記ズレ止め材は細長形状を有しており、前記ズレ止め材の長手方向軸線が、前記第１凹部の底点と前記第１凸部の頂点とを通る仮想線に略平行となるように配置されている。
【００１９】
上記第四の態様では、ズレ止め材が、ヒップホールド部の後方への広がりに沿うように配置されるので、第１凹部の後方に隣接する第１凸部又はその一部がめくれて、肌側又は下着側に折れ曲がったり、小さなシワやヨレが発生したりすること（以下、「めくれやヨレ」という場合がある）を防止することができる。
【００２０】
本発明の第五の態様によれば、前記ズレ止め材が、前記第１凸部の頂点から前記幅の方向に引いた仮想線も前記前後方向に跨るように配置されている。
【００２１】
上記第五の態様では、ズレ止め材を、第１凸部の頂点から幅の方向に引いた仮想線も跨るように配置することで、最大幅を有しているために力が負荷された場合に最も動きやすい第１凸部の領域の一部と、最もシワが発生しやすい第１凹部の領域の一部とが下着に確実に固定される。その結果、第１凸部が独立して変形し得る作用・機能をあまり損なうことなく、下着におけるヒップホールド部の所定の位置からのズレを防止することができる。また、第１凸部のめくれやヨレを防止することができる。
【００２２】
本発明の第六の態様によれば、前記ズレ止め材が、前記第１凸部の頂点から前記幅の方向に引いた仮想線と、前記第２凸部の頂点から前記幅の方向に引いた仮想線との間にわたって設けられている。
【００２３】
上記第六の態様では、ズレ止め材を、第１凸部の頂点から幅の方向に引いた仮想線と、第２凸部の頂点から幅の方向に引いた仮想線との間にわたって設けることによって、第１凸部と第２凸部とが独立して変形し得る作用・機能をあまり損なうことなく、第１凹部付近のシワを、第１凸部及び第２凸部の両側からより確実に防止することができる。
【発明の効果】
【００２４】
本発明の一態様によれば、ヒップホールド部におけるシワの発生を抑制し、身体へのフィット性を向上させた吸収性物品が提供される。
【図面の簡単な説明】
【００２５】
【図１】本発明の一態様による吸収性物品の一部破断図である。
【図２】本発明の一態様による吸収性物品のＡ−Ａ線断面図である。
【図３】本発明の一態様におけるヒップホールド部を裏面から見た部分拡大図である。
【図４】本発明の一態様におけるヒップホールド部を裏面から見た部分拡大図である。
【図５】本発明の一態様におけるヒップホールド部を裏面から見た部分拡大図である。
【図６】本発明の一態様におけるヒップホールド部を裏面から見た部分拡大図である。
【図７】本発明の一態様におけるヒップホールド部を裏面から見た部分拡大図である。
【図８】本発明の一態様におけるヒップホールド部を裏面から見た部分拡大図である。
【図９】本発明の一態様におけるヒップホールド部を裏面から見た部分拡大図である。
【図１０】本発明の一態様による吸収性物品が装着された状態を示すモデル図である。
【発明を実施するための形態】
【００２６】
以下、本発明の実施の態様について図面を参照しながら説明する。
【００２７】
吸収性物品１は、図１及び図２に示すように、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。吸収性物品１は、さらに、図１に示すように、後述のヒップホールド部Ｈ、及びウィングＷＧを備えたウィング部Ｗを有しており、ヒップホールド部Ｈ及びウィング部Ｗの間には中間部Ｍが存在する。中間部Ｍは、図１に示すように、ウィングＷＧの後方の終端から、第２凸部４２の前方の終端までの領域とすることができる。
【００２８】
吸収性物品１を使用する場合は、ウィング部Ｗ側が前方方向を向き、ヒップホールド部Ｈ側が後方方向を向くように下着に装着する。本体８は、図１に示すように、全体としては、前後方向に所定の長さａを有する細長い形状であり、前後方向と直交する方向に略一定の幅ｂを有している。そして、吸収性物品１は、前後方向に延びる中心線ＣＬに対し略線対称の形状になっている。
【００２９】
吸収体４の前方及び後方の端縁部では、裏面シート２の外縁と表面シート３の外縁とが、ホットメルト等の接着剤やヒートシール、超音波シール等の接着手段によって接合されている。また、表面シート側の両側部には、それぞれ前後方向（長手方向）に沿ってサイド不織布７が設けられている。サイド不織布７は、本体８の側方に部分的に突出し、同じく側方に突出する裏面シート２に積層され、ホットメルト等の接着剤やヒートシール、超音波シール等の接着手段によって接合されており、これにより、ヒップホールド部Ｈの側部領域１０及びウィングＷＧが形成されている。
【００３０】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００３１】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法の内、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維などの複合繊維を用いることができる。
【００３２】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（sｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００３３】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００３４】
吸収体４の厚みは、約０．５〜２５ｍｍの範囲内とすることが好ましい。吸収体４は、前面にわたり均一な厚みを有していなくともよく、体液排出部位に対応した部分を膨出させた構造とすることもできる。また、吸収体４は、積繊又はエアレイド法によって製造されたものが好ましい。
【００３５】
サイド不織布７としては、撥水処理不織布又は親水処理不織布を使用することができる。例えば、経血やおりもの等が浸透するのを防止する効果又は肌触り感を高める場合は、シリコン系、パラフィン系、アルキルクロミッククロリド系撥水剤などをコーティングした撥水処理不織布を用いることが好ましい。また、ヒップホールド部Ｈにおける経血等の吸収性を高める場合には、不織布の材料として、親水処理された不織布を用いることが好ましい。不織布の種類としては、折り癖が付きにくく、シワに成りにくく柔らかいエアスルー不織布が好ましい。
【００３６】
ヒップホールド部Ｈの側部領域１０及びウィング部ＷのウィングＷＧの外縁には、図１に示すように、サイド不織布７と裏面シート２との接合のため及び剛性を高めるために、所定の箇所に、ドットエンボスや所定の形状を有するエンボスを施したエンボス加工部Ｅを設けることができる。
【００３７】
本態様においては、吸収性物品１は、透液性の表面シート３と、不透液性の裏面シート２と、前記表面シート３と前記裏面シート２との間に設けられた吸収体４とを有する本体８と、ヒップホールド部Ｈとを備えている。
【００３８】
ヒップホールド部Ｈは、吸収性物品の両側部後方から後端部にわたる部分の長さ及び幅を大きくすることによって形成された面積拡張部分であり、図１０に示すように、装着時に下着の臀部内面側に固定されることで、吸収性物品１の後方及び／又は斜め後方からの体液の漏れを阻止する機能を有する。ヒップホールド部Ｈは、図１に示すように、吸収性物品１の本体８の両側部の後方から後端部にかけて延在する、サイド不織布７と裏面シート２とが積層されたフラップ状の部分を含む。
【００３９】
ヒップホールド部Ｈは、本体８の後方側部から突出する側部領域１０と、本体８の後端部から突出する後部領域２０とを有している。ヒップホールド部Ｈの側部領域１０は、主として裏面シート２とサイド不織布７とが貼り合せられて構成された領域を含み、後部領域２０は、主として裏面シート２と表面シート３とが貼り合せられて構成された領域を含む。
【００４０】
ヒップホールド部Ｈの側部領域１０及び後部領域２０は、吸収体４を有さず、本体８に比べて薄く構成されていることが好ましい。これにより、本体８よりもフレキシブルな動きをすることができる。しかし、本体８で用いられる吸収体４より薄く構成された吸収体を、ヒップホールド部Ｈ内の裏面シート２とサイド不織布７との間に積層させることもできる。
【００４１】
ヒップホールド部Ｈは、装着時に下着のクロッチ部分の後端に対応する位置を起点として、吸収性物品１の後端まで延びる部分とすることができる。図１の例では、ヒップホールド部Ｈは、第２凸部４２の前方の終端がある位置から吸収性物品１の後端までの前後方向にわたる部分とすることができる。例えば、ヒップホールド部Ｈの前後方向の長さは、５０ｍｍ以上２００ｍｍ以下であると好ましく、８０ｍｍ以上１８０ｍｍ以下であるとより好ましい。また、吸収性物品１の全長は２００ｍｍ以上４５０ｍｍ以下とすることができ、この全長に対してヒップホールド部Ｈの前後方向の長さは、１０％以上５０％以下であると好ましい。なお、ヒップホールド部Ｈは、吸収性物品１の幅が最も大きくなる部分を含み、その幅は、１２０ｍｍ以上２３０ｍｍ以下であると好ましい。
【００４２】
さらに、ヒップホールド部Ｈには、その外周（外形線）に凹凸が設けられている。例えば、図１に示すように、側部領域１０において、本体８の前後方向中心線からの幅が最も大きい部分を含む第１凸部４１と、第１凸部４１より前方に隣接する第１凹部５１と、第１凹部５１より前方に隣接する第２凸部４２とを有する。また、ヒップホールド部Ｈは、図１に示すように、本体の後端部から突出する後部領域２０にも凹凸が設けられていてよい。
【００４３】
以下、ヒップホールド部Ｈの外周に凹凸部を形成することによる作用を説明する。
【００４４】
ヒップホールド部Ｈは、全体としては平面状である。この様な平面状のヒップホールド部Ｈを臀部に当てた場合、臀部が曲面形状を有するために、平面形状と曲面形状との違いに起因して、特にヒップホールド部Ｈの外周領域に歪が生じ、シワが発生し得る。発生するシワの大きさや数はヒップホールド部Ｈ全体の面積（エリア）及び臀部の曲面の形状に関係するが、ヒップホールド部Ｈの外周に上述のような凸部及び凹部が形成されていない場合は、ヒップホールド部Ｈの外周領域の複数の箇所に大きなシワが発生し得る。この様な大きなシワが臀部の肌に接すると違和感を与えるが、特に、長時間椅子に腰掛けている場合、或いは夜間仰向けに寝ている場合は、体重の一部が臀部に加わるため、その分、違和感乃至不快感は大きくなる。また、就寝中の姿勢の変化或いは着席中の姿勢の変化により臀部に掛かる体重の大きさや、臀部とヒップホールド部Ｈとの接触状態が変化することで、シワが一層大きくなり得る。さらに夜間等で、仰向け或いは横向きで寝ている場合は、そのようなシワにより生じた隙間から体液が外部に漏洩しやすくなる。
【００４５】
これに対し、本態様では、ヒップホールド部Ｈの外形形状には、２つの凸部の間に凹部が存在しているため、例えば、第１凸部４１にシワを発生させる力が作用しても、第１凹部５１の存在により第２凸部４２に第１凸部４１で発生する力が伝播しないために、第１凸部４１に生じた力は第１凸部４１のエリアに留まることになる。第２凸部４２にシワを生じさせる力が作用した場合も同様である。このように、第１凸部４１と第２凸部４２とは互いに影響を及ぼすことなくそれぞれ独立に変形することができる。また、シワが発生しても、そのシワが大きくなることはない。
【００４６】
よって、吸収性物品を装着する際にヒップホールド部Ｈを臀部の曲面に沿うように当てた時、ヒップホールド部Ｈを、臀部の曲面に沿って変形させることができる。これにより、ヒップホールド部Ｈの臀部へのフィット性を向上させることができる。
【００４７】
なお、図示の態様では、ヒップホールド部Ｈの側部領域１０において第１凸部４１、第１凹部５１及び第２凸部４２が設けられた構成となっているが、凸部及び凹部の数及び形状はこれに限られない。例えば、ヒップホールド部Ｈの側部領域１０には、２〜５個の凸部を設けることができ、１〜５個の凹部を設けることができる。
【００４８】
本態様では、図１、図２に示すように、ヒップホールド部Ｈの裏面シート２に、吸収性物品１を固定するためのズレ止め材９が設けられている。ズレ止め材９は、粘着性又は非粘着性の層であり、この層を介してヒップホールド部Ｈと下着とを結合させ、ヒップホールド部Ｈが下着における所定位置からズレることを抑制する。
【００４９】
上述のように、ヒップホールド部Ｈは、外周に凹凸が設けられていることによって、身体へのフィット性が高められている。しかし、ヒップホールド部Ｈと身体との接触状態や臀部への体重の掛り具合などによっては、脚や臀部を動かした時に、臀部から力が負荷されたり、吸収性物品１の中間部Ｍを含む前方部分から力が伝わったりすること等により、ヒップホールド部Ｈの外周領域には比較的大きな力が負荷される。そうすると、応力が集中しやすい第１凹部５１の付近にシワが発生しやすい。
【００５０】
これに対し、本態様では、ズレ止め材９を、図３に示すように、第１凹部５１の底点から幅の方向に引いた仮想線Ｘ１を前後方向で跨るように配置することにより、応力の集中しやすい第１凹部５１の底点付近の領域を下着に確実に固定することができる。これにより、第１凹部５１の底点及びその付近に集まる応力を分散させることができるので、シワの発生を抑えることができる。
【００５１】
また、ヒップホールド部Ｈの外周に凹凸が設けられていることにより得られる、上述の高いフィット性を維持することができる。さらに、ヒップホールド部Ｈと身体との間の隙間を防止できることから、その隙間から体液が漏れることがなく、長時間でも安心して吸収性物品１を使用することができる。また、ヒップホールド部Ｈにできたシワが臀部に当って起こる違和感もなくなるので、装着感も向上する。
【００５２】
ヒップホールド部Ｈには複数の凹部が設けられていてもよく、その場合、第１凹部５１以外の凹部付近にも、ズレ止め材９を設けることができる。その場合、ズレ止め材９を、第１凹部５１以外の凹部の底点から幅方向に引いた仮想線を前後方向に跨るように配置することによって、第１凹部５１以外の凹部付近でのシワの発生を抑制することができる。
【００５３】
また、第１凹部５１の底点から幅の方向に引いた仮想線Ｘ１を前後方向で跨ぐという条件を満たすのであれば、ズレ止め材９の数は限定されない。例えば、１〜３個のズレ止め材９を、所定の間隔を置いて幅方向に並ぶよう設けることができる。複数のズレ止め材９を設ける場合、その形状及び／又はサイズは同じであってもよく異なっていてもよい。
【００５４】
ズレ止め材９の形状は、特に限定されないが、三角形、四角形又はその他の多角形、円形、楕円形、ひし形等の形状とすることができるが、応力を前後方向で分散させるという観点から、図３に示すように、前後方向に所定の長さを有している形状、例えば前後方向に長辺を有する長方形であることが好ましい。
【００５５】
ズレ止め材９の前後方向の長さは、特に限定されないが、下着への固定力を確保でき、且つ前後方向にわたる柔軟性を維持しつつヒップホールド部Ｈのフレキシブルな変形を確保できる程度であると好ましい。第１凸部４１、第１凹部５１及び第２凸部４２の形状及び大きさにもよるが、例えば、ズレ止め材９の前後方向の長さは、５ｍｍ以上３５ｍｍ以下であると好ましく、２０ｍｍ以上３１ｍｍ以下であるとより好ましい。
【００５６】
ズレ止め材９が長方形状である場合には、その短辺の長さは、下着への固定強度を向上させる観点から５ｍｍ以上であると好ましく、幅方向にわたるヒップホールド部Ｈの柔軟性を維持しつつ身体にフィットしたヒップホールド部Ｈのフレキシブルな変形を確保するためには、２０ｍｍ以下であると好ましい。また、短辺の長さは、７ｍｍ以上１７ｍｍ以下であるとより好ましい。
【００５７】
また、第１凹部５１、第１凸部４１及び第２凸部４２の形状及び大きさ、並びにズレ止め材９の形状及び前後方向の長さにもよるが、ズレ止め材９は、第１凹部５１の底点から幅方向内側に離れた位置に設けられていると好ましい。これにより、第１凹部５１の両側に存在する第１凸部４１及び第２凸部４２の互いに独立した動きを妨げず、ヒップホールド部Ｈのフィット性を確保することができる。より好ましくは、ズレ止め材９の幅方向の第１凹部５１の底点から幅方向内側に４ｍｍ以上１０ｍｍ以下の範囲に位置しているとよい。
【００５８】
但し、ヒップホールド部Ｈの外縁に、図１に示すようなエンボス加工部Ｅが設けられている場合には、裏面シート２とズレ止め材９とを確実に接着させるために、ズレ止め材９は、エンボス加工部Ｅよりも内側に設けられていることが好ましい。
【００５９】
ズレ止め材９は、上述のように、粘着性又は非粘着性の層として形成することができる。粘着剤層としては、例えば、スチレン系ポリマー、粘着付与剤、可塑剤及びこれらの組合せを主成分とするものが好適に使用される。スチレン系ポリマーとしては、スチレン−エチレン−ブチレン−スチレンブロック共重合体、スチレン−ブチレン−スチレンブロック共重合体、スチレン−イソブチレン−スチレン共重合体、スチレン−ブタジエン−スチレンブロック共重合体等が挙げられ、これらのうち１種又は２種以上を使用することができる。この中でも熱安定性が良好であるという点で、スチレン−ブタジエン−スチレンブロック共重合体が好ましい。
【００６０】
また、粘着付与剤及び可塑剤としては、常温で固体のものを用いることができる。粘着付与剤としては、例えば、Ｃ５系石油樹脂、Ｃ９系石油樹脂、ジシクロペンタジエン系石油樹脂、ロジン系石油樹脂、ポリテルペン樹脂、テルペンフェノール樹脂等が挙げられる。可塑剤としては、例えば、リン酸トリフレシル、フタル酸ジブチル、フタル酸ジオクチル等のモノマー可塑剤の他、ビニル重合体やポリエステル等のポリマー可塑剤が挙げられる。
【００６１】
非粘着性の層として形成されるズレ止め材９の材料としては、天然ゴム、スチレン−ブタジエンゴム、シリコーンゴム、クロロプレンゴム、ブチルゴム、スチレン−イソプレンゴム等をベースポリマーとする材料を単独で又は組み合わせて用いることができる。これらの中でも、シリコーンゴムあるいはＳＩＳ、ＳＢＳの水添タイプエラストマーが好ましい。
【００６２】
ズレ止め材９の裏面シート２への固定方法としては、特に限定されないが、ホットメルト接着剤のようにホットメルトコーターを用いた溶融塗工等が好ましい。
【００６３】
なお、ズレ止め材９を非粘着性の層とした場合には、図４に示すように、散点状のズレ止め材９を用いることが好ましい。散点状にすることで、吸収性物品の裏面シート２を透湿性の材料で構成した場合に、その透湿性が阻害されるのを最小限に抑えることができる。
【００６４】
また、非粘着性のズレ止め材９としては、メカニカルファスナーのフック材を用いることもできる。フックの形状としては、下着に係止されるものであれば特に制限はなく、鈎状、キノコ状等、各種公知の形状のものを用いることができる。
【００６５】
また、吸収性物品１が包装されている状態では、ズレ止め材９は、ズレ止め材９を保護し、吸収性物品１の使用時には容易に剥離してズレ止め材９を露出させることのできる剥離材で覆われている。そのような剥離材は、例えばシリコーン系樹脂、フッ素系樹脂、又は四フッ化エチレン系樹脂などの離型処理液を塗工するかスプレー塗布し離型処理した紙またはプラスチックシートを用いることができる。
【００６６】
ズレ止め材９は、図３に示すように、第１凹部５１の底点から幅の方向に引いた仮想線Ｘ１の両側に等しい長さ（距離）ｅ及びｅ'で前後方向に延在させることが好ましい。これにより、第１凹部５１を、最もシワが発生しやすい第１凹部５１の底点に対応する位置を中心に、第１凸部４１及び第２凸部４２の双方の側からバランス良く固定することができる。そのため、第１凹部５１付近での応力を良好に分散させ、シワの発生をより確実に防止することができる。
【００６７】
また、ズレ止め材９の外形形状が曲線部を有するようにしてもよい。例えば、図５に示すように、ズレ止め材９の幅方向外側の外形線を、ヒップホールド部Ｈの外形線に沿った形状にすることもできる。これにより、ズレ止め材９を外形線の近傍付近に配置することができるので、最もシワが発生しやすい第１凹部５１の底部でのシワの発生を抑制する効果を維持しつつ、第１凹部５１に隣接する凸部のめくれやヨレをより良好に防止することができる。
【００６８】
ズレ止め材９は、上述のように長方形等の細長形状とすることが好ましい。その場合、図６に示すように、ズレ止め材９の長手方向軸線を、第１凹部５１の底点と第１凸部４１の頂点とを通る仮想線Ｘ４に略平行となるように配置すると、ズレ止め材９が、ヒップホールド部Ｈの後方への広がりにより自然に沿うように配置される。
【００６９】
つまり、図１に示すように第１凸部４１が外側に大きく突出した形状であったとしても、ズレ止め材９を、第１凸部４１の曲線形状に、より沿った方向に配置することができる。第１凸部４１はヒップホールド部Ｈの幅の最も大きい部分を有し、力の負荷を受けた場合にめくれ又はヨレが発生しやすい個所である。しかし、上記のように、ズレ止め材９を長手方向中心線に対して傾きをもって配置することで、第１凸部４１のめくれを良好に防止することができる。
【００７０】
ズレ止め材９は、図７に示すように、第１凸部４１の頂点から幅の方向に引いた仮想線Ｘ２も跨るように配置することもできる。これにより、大きな幅を有しているために力が負荷された場合に最も動きやすい第１凸部４１の領域が下着に確実に固定され、下着におけるヒップホールド部Ｈの所定の位置からのズレを防止することができる。また、第１凸部４１の外縁で発生し得るめくれやヨレも防止することができる。
【００７１】
但し、ズレ止め材９は、第１凸部４１の頂点から幅の方向に引いた仮想線Ｘ２を大幅に越えて後方に過度に長くなっていると、第１凸部４１近傍の領域の柔軟性が損なわれるため、ヒップホールド部Ｈが臀部の曲面形状に沿ったフレキシブルな変形を妨げてしまう。そのため、ヒップホールド部Ｈ全体の臀部への形状適合を考慮すると、ズレ止め材９は、仮想線Ｘ２を１０ｍｍ越えないように配置されることが好ましく、５ｍｍを越えないように配置されていることがより好ましい。
【００７２】
また、図８に示すように、ズレ止め材９は、第１凸部４１の頂点から幅の方向に引いた仮想線Ｘ２と、第２凸部４２の頂点から幅の方向に引いた仮想線Ｘ３との間にわたって配置されていてもよい。
【００７３】
これにより、第１凹部５１の前後方向で所定の長さを確保することができるので、ヒップホールド部Ｈの下着への固定はより強固となる。また、第１凸部４１の頂点から引いた仮想線Ｘ２、及び第２凸部４２の頂点から引いた仮想線Ｘ３を越えずに、双方の側から固定することができる。そのため、第１凸部４１及び第２凸部４２が独立して変形する作用・機能をあまり損なうことなく、第１凹部５１付近での応力をより良好に分散させることができ、シワの発生をより確実に防止することができる。
【００７４】
なお、ヒップホールド部Ｈの側部領域１０の外形形状は、図９に示すように、中心線ＣＬからの第２凸部４２の幅ｃが、中心線ＣＬからの第１凹部５１の最も小さい幅ｄと同じか又はそれよりも小さい形状とすることもできる。すなわち、第１凹部５１の最も幅の小さい位置（第１凹部５１の外形線から第２凸部４２の外形線への移行点）から、前後方向中心線ＣＬと平行な基準線ＳＬを引いた場合、第２凸部４２は、その基準線ＳＬから外側に突出することがない。
【００７５】
これにより、装着時に脚の付け根により近接する位置に形成されており、脚の動きによる力を受けやすい第２凸部４２においてめくれやヨレが発生する傾向を抑えることできる。そのため、上述のような第１凸部４１と第２凸部４２とがそれぞれ独立して変形するという作用・機能が維持されるので、ヒップホールド部Ｈの身体へのフィット性を維持しつつ、めくれた部分が身体に当ることにより生じる違和感も低減することができ、装着感を向上させることができる。
【００７６】
さらに、第１凹部５１の底点から幅方向に引いた仮想線Ｘ１を跨ぐように設けられているズレ止め材９と、第２凸部４２の頂点とがより近接することから、第２凸部４２のめくれやヨレは一層抑制される。
【符号の説明】
【００７７】
１  吸収性物品
２  裏面シート
３  表面シート
４  吸収体
５  被包シート
７  サイド不織布
８  本体（吸収性物品本体）
９  ズレ止め材
１０  側部領域
２０  後部領域
４１  第１凸部
４２  第２凸部
５１  第１凹部
Ｈ  ヒップホールド部
Ｗ  ウィング部
Ｅ  エンボス加工部
ＷＧ  ウィング
ＣＬ  前後方向中心線
ＳＬ  基準線
Ｘ１  第１凹部の底点から幅方向に引いた仮想線
Ｘ２  第１凸部の頂点から幅方向に引いた仮想線
Ｘ３  第２凸部の頂点から幅方向に引いた仮想線
Ｘ４  第１凹部の底点と第１凸部の頂点とを通る仮想線
【図１】
2018015239.tif 000003
【図２】
2018015239.tif 000004
【図３】
2018015239.tif 000005
【図４】
2018015239.tif 000006
【図５】
2018015239.tif 000007
【図６】
2018015239.tif 000008
【図７】
2018015239.tif 000009
【図８】
2018015239.tif 000010
【図９】
2018015239.tif 000011
【図１０】
2018015239.tif 000012
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
透液性の表面シートと、不透液性の裏面シートと、前記表面シートと前記裏面シートとの間に設けられた吸収体とを有する本体と、ヒップホールド部とを備えた吸収性物品であって、
前記本体は、前後方向に所定の長さ及び該前後方向と直交する方向に所定の幅を有する形状であり、
前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、
前記側部領域の裏面シートに、前記吸収性物品を固定するためのズレ止め材が設けられており、前記ズレ止め材は、前記第１凹部の底点から前記幅の方向に引いた仮想線を前記前後方向で跨るように配置されている、吸収性物品。
【請求項２】
前記ズレ止め材が、前記第１凹部の底点から前記幅の方向に引いた仮想線の両側に等しい長さで前後方向に延在している、請求項１に記載の吸収性物品。
【請求項３】
前記ズレ止め材の幅方向外側の外形線が、前記ヒップホールド部の外形線に沿った形状を有する、請求項１又は２に記載の吸収性物品。
【請求項４】
前記ズレ止め材が細長形状を有しており、前記ズレ止め材の長手方向軸線が、前記第１凹部の底点と前記第１凸部の頂点とを通る仮想線に略平行となるように配置されている、請求項１に記載の吸収性物品。
【請求項５】
前記ズレ止め材が、前記第１凸部の頂点から前記幅の方向に引いた仮想線も前記前後方向に跨るように配置されている、請求項１に記載の吸収性物品。
【請求項６】
前記ズレ止め材が、前記第１凸部の頂点から前記幅の方向に引いた仮想線と、前記第２凸部の頂点から前記幅の方向に引いた仮想線との間にわたって設けられている、請求項１に記載の吸収性物品。
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
透液性の表面シートと、不透液性の裏面シートと、前記表面シートと前記裏面シートとの間に設けられた吸収体とを有する本体と、ヒップホールド部とを備えた吸収性物品であって、
前記本体は、前後方向に所定の長さ及び該前後方向と直交する方向に所定の幅を有する形状であり、
前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、
前記側部領域の裏面シートに、前記吸収性物品を固定するためのズレ止め材が設けられており、前記ズレ止め材は、前記第１凹部の底点から前記幅の方向に引いた仮想線を前記前後方向で跨るように配置されており、前記第１凹部の底点から前記幅の方向に引いた仮想線の両側に等しい長さで前後方向に延在している、吸収性物品。
【請求項２】
透液性の表面シートと、不透液性の裏面シートと、前記表面シートと前記裏面シートとの間に設けられた吸収体とを有する本体と、ヒップホールド部とを備えた吸収性物品であって、
前記本体は、前後方向に所定の長さ及び該前後方向と直交する方向に所定の幅を有する形状であり、
前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、
前記側部領域の裏面シートに、前記吸収性物品を固定するためのズレ止め材が設けられており、前記ズレ止め材は、前記第１凹部の底点から前記幅の方向に引いた仮想線を前記前後方向で跨るように配置されており、前記ズレ止め材の幅方向外側の外形線は、前記ヒップホールド部の外形線に沿った形状を有する、吸収性物品。
【請求項３】
透液性の表面シートと、不透液性の裏面シートと、前記表面シートと前記裏面シートとの間に設けられた吸収体とを有する本体と、ヒップホールド部とを備えた吸収性物品であって、
前記本体は、前後方向に所定の長さ及び該前後方向と直交する方向に所定の幅を有する形状であり、
前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、
前記側部領域の裏面シートに、前記吸収性物品を固定するためのズレ止め材が設けられており、前記ズレ止め材は、前記第１凹部の底点から前記幅の方向に引いた仮想線を前記前後方向で跨るように配置されており、当該ズレ止め材は細長形状を有しており、前記ズレ止め材の長手方向軸線が、前記第１凹部の底点と前記第１凸部の頂点とを通る仮想線に略平行となるように配置されている、吸収性物品。
【請求項４】
透液性の表面シートと、不透液性の裏面シートと、前記表面シートと前記裏面シートとの間に設けられた吸収体とを有する本体と、ヒップホールド部とを備えた吸収性物品であって、
前記本体は、前後方向に所定の長さ及び該前後方向と直交する方向に所定の幅を有する形状であり、
前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、
前記側部領域の裏面シートに、前記吸収性物品を固定するためのズレ止め材が設けられており、前記ズレ止め材は、前記第１凹部の底点から前記幅の方向に引いた仮想線及び前記第１凸部の頂点から前記幅の方向に引いた仮想線を前記前後方向で跨るように配置されている、吸収性物品。
【請求項５】
透液性の表面シートと、不透液性の裏面シートと、前記表面シートと前記裏面シートとの間に設けられた吸収体とを有する本体と、ヒップホールド部とを備えた吸収性物品であって、
前記本体は、前後方向に所定の長さ及び該前後方向と直交する方向に所定の幅を有する形状であり、
前記ヒップホールド部は、前記本体の後方側部から突出する側部領域において、前記本体の前後方向中心線からの幅が最も大きい部分を含む第１凸部と、前記第１凸部より前方に隣接する第１凹部と、前記第１凹部より前方に隣接する第２凸部とを有し、
前記側部領域の裏面シートに、前記吸収性物品を固定するためのズレ止め材が設けられており、前記ズレ止め材は、前記第１凹部の底点から前記幅の方向に引いた仮想線を前記前後方向で跨るように配置されており、前記第１凸部の頂点から前記幅の方向に引いた仮想線と、前記第２凸部の頂点から前記幅の方向に引いた仮想線との間にわたって設けられている、吸収性物品。